(57)【要約】      （修正有）【課題】脚の動きと腕の動きを連結して無理のないトレ−ニングが行える健康運動器具を提供する。【解決手段】座面１に座り、左右の脚ア−ム軸２に軸着された脚アームの左右の脚ア−ム座面に脚を乗せ、両脚を閉じるとき、脚ア−ム軸２の下部に装着されたピニオン５が回動する。ピニオン５と連動するラック６がスライダ−７に固着されていて、スライダ−７は後方に摺動する。また、脚ア−ム軸２の中間部に装着された稼働域調整具の一部にワイヤ−８を捲着し、脚ア−ム軸２の回動により稼働域調整具が回動し、当該ワイヤ−８は、プーリ−を介してばね９を引く。当該ばね９が、両脚を閉じるときの負荷になる。座面１の前にハンドル１０を設ける。ハンドル１０は、ハンドル軸１１を支点として前後に回動する。ハンドル１０の下端は、連結棒１２を介してスライダ−７に咬合していて、ハンドル１０を前に押すとスライダ−７は後方に摺動する。【選択図】図２
0003204345.tif 000002
【実用新案登録請求の範囲】
【請求項１】
座面に座り、軸に軸着された脚の左右の脚ア−ム座面に脚を乗せ、両脚を閉じるとき、脚ア−ム軸の下部に装着されたピニオンが回動する。ピニオンと連動するラックがスライダ−に固着されていて、スライダ−は後方に摺動する。
脚ア−ム軸の中間部に装着された稼働域調整具の一部にワイヤ−を巻きつけ、当該ワイヤ−を介して、ばねを引く。当該ばねが両脚を閉じるときの負荷となる。
座面の前にハンドルを設ける。ハンドルは、ハンドル軸を支点として前後に回動する。ハンドルの下端は、スライダ−に咬合していて、ハンドルを前方に押すとスライダ−は後方に摺動する。スライダ−の動きは、スライダ−に固着されているラックを介してピニオンを回し、両脚を閉じることに連動している。
このように、脚とハンドルが連動する機能を特徴とする健康運動器具。
【請求項２】
座面に座り、軸に軸着された脚の左右の脚ア−ム座面に脚を乗せ、両脚を閉じるとき、脚ア−ム軸の中間部に装着された可動域調整具により、脚の開き角度を調整できる機能を特徴とする請求項１に記載された健康運動器具。
【請求項３】
ハンドルの上部に、支点を設け体形に合わせてハンドルを屈曲できるハンドル角度調整部品があり、必要な傾きに調整できる機能を特徴とする請求項１に記載された健康運動器具。
【請求項４】
前記ばねは、ばね受けに用意された複数個のばねを容易に選択・設定できる構造を特徴とする請求項１に記載された健康運動器具。
【考案の詳細な説明】
【技術分野】
【０００１】  この考案は、日常において動きやすく怪我を少なくするため、身体の機能を上げ、「柔らかい身体」を作るための健康運動器具に関するものである。
【背景技術】
【０００２】  筋肉を強化するための健康器具は、種々開発されている。それらは、通常行われている動作の範ちゅうを超えて身体を動かして筋肉を強化する器具である。
【考案の開示】
【考案が解決しようとする課題】
【０００３】  本考案は、ばねの性質を有効に使った健康運動器具である。ばねは、初動は軽い負荷で、終動は徐々に重くなる。体力に合わせ、適切なレベルで股関節、骨盤、肩、肩甲骨の可動域を広げ「柔らかい身体」を作るための健康運動器具で、脚をトレ−ニングする際に脚をサポ−トする腕との協同動作で、脚の緊張が緩和され、リラックスしながら、テンポ感もつかみやすい効果的にトレ−ニングできる方式を提供する。更に加えて、利用者の体力に合わせて、開脚角度を選択できる機能、及び体形に合わせてハンドルの位置を選択できる機能をも持たせることを目的にしている。
【課題を解決するための手段】
【０００４】    本考案は、上記の課題を解決するために、座面に座り、両脚を脚ア−ム座面にのせ、両脚が開いた状態から、両脚を閉じるとき脚ア−ム軸の中間部に装着された稼働域調整具が回転する。その時稼働域調整具の一部に捲着されたワイヤ−を引く。ワイヤ−は、移動バネ受けを引き、ばねの抗力が発生する。このばねの抗力で、もものつけねや股関節、骨盤をトレ−ニングする。脚の閉じる力を抜くと、ばねの復元力によりトレ−ニング開始時の両脚が開いた状態に戻る。この繰り返しを行う。【０００５】    ハンドルを前後して。閉脚時の負荷を調整することができる。ハンドルを前方に押すと、両脚が閉じだし両脚を閉じる力を助ける。このようにして、脚の動きと腕の動きを連結して無理のないトレ−ニングが行える機構を提供するものである。
【考案の効果】
【０００６】  本考案は、上記の課題を解決するために、座面に座り、脚ア−ム軸に軸着された脚の左右の脚ア−ム座面に脚を乗せ、両脚が開いた状態から両脚を閉じるとき、脚ア−ム軸が回動する。脚ア−ム軸の中間部に装着された稼働域調整具も同じく回動する。当該稼働域調整具の一部に捲着されたワイヤ−を引く。当該ワイヤ−を介してばねを引く。当該ばねが、両脚を閉じるときの負荷になる。また、両脚を閉じるとき、それぞれの脚ア−ム軸の下部に装着されたピニオンが、回動する。スライダ−に装着されたラックが当該ピニオンと連動し、スライダ−が前後に摺動する。
脚の前にハンドルを設ける。ハンドルは、ハンドル軸を支点として前後に回動する。ハンドルの下端は、スライダ−に咬合していて、ハンドルを前方に押すと脚の開閉に連動して、スライダ−は後方に摺動して、脚ア−ム座面は閉じる。
ハンドルは、脚の開閉を安定して行うために、上体を支える。脚の力を抜くと、ばねの力により脚は開き、ハンドルは手前の位置に戻る。この動作を繰り返す。このように、もものつけねや股関節をやわらかく機能させることができた。
【図面の簡単な説明】
【０００７】
【図１】    本考案に係る正面図である。
【図２】    本考案に係る測面図である。
【図３】    本考案に係る脚の開閉とハンドルの前後動が協同動作する図面である。
【図４】    本考案に係る脚の開閉を制限する機構図である。
【図５】    本考案に係る脚を一番開いた状態の機構図である。
【図６】    本考案に係る脚を一番狭くした状態の機構図である。
【図７】    本考案に係るハンドルの傾きを選択する図面である。
【図８】    本考案に係る閉開脚時の負荷であるばねを選択できる機能図である。
【考案を実施するための最良の形態】
【０００８】  図１は、本考案に係る健康運動器具の一実施例の正面図、図２は当該側面図である。図３は、脚の開閉とハンドルの前後動が協同動作する詳細図である。
図４は脚の開閉を制限する機構、図５は脚を一番開いた状態の説明図。図６は、脚を一番狭くした説明図である。図７は、ハンドルの傾きを選択する図面である。図８は、開脚の負荷であるばねを選択できる機能図である。以下これらの図面を参照しながら、本考案の実施の形態について説明する。
【実施例】
【０００９】  図１、図２及び図３において、座面１に座り、左右の脚ア−ム軸２に軸着された脚アーム３の左右の脚ア−ム座面４に脚を乗せ、両脚を閉じるとき、脚ア−ム軸２の下部に装着されたピニオン５が回動する。ピニオン５と連動するラック６がスライダ−７に固着されていて、スライダ−７は後方に摺動する。また、脚ア−ム軸２の中間部に装着された稼働域調整具１８の一部にワイヤ−８を捲着し、脚ア−ム軸２の回動により稼働域調整具１８が回動し、当該ワイヤ−８は、プーリ−３０を介してばね９を引く。当該ばね９が、両脚を閉じるときの負荷になる。【００１０】  座面１の前にハンドル１０を設ける。ハンド１０は、ハンドル軸１１を支点として前後に回動する。ハンドル１０の下端は、連結棒１２を介してスライダ−７に咬合していて、ハンドル１０を前に押すとスライダ−７は後方に摺動する。スライダ−７の動きは、スライダ−７に固着されているラック６を介してピニオン５を回し、両脚の開閉に連動している。【００１１】  このように、スライダ−７を介して脚ア−ム軸２とハンドル１０が連動しているので、脚アーム３によってハンドル１０を動かすことができるし、ハンドル１０によって開脚・閉脚させたりすることもできる。脚アーム３及びハンドル１０によって、無理のない運動量に容易に修正しながら、もものつけねや股関節をやわらかく機能させることができた。なお、前面より開脚状態を見せないため、ハンドル１０の前に黒色のめくら板１３を装備した。【００１２】  閉脚を無理なく行うために、レベルに合わせて開脚度を調整できる。以下脚の開閉を制限する機構について、図４を参考に説明する。【００１３】  パイプ１４は、フレ−ムの一部を構成しているパイプで、上側脚ア−ム軸受１５が溶着されている。上側脚ア−ム軸受１５には脚アーム軸２の軸受１６が、ベ−スプレ−ト１７に装着されている軸受１６とで、左右の脚アーム軸２が回動できるように取り付けられている。【００１４】  脚アーム軸２の中間部に、可動域調整具１８が自由に回動できるように取り付けられていて、可動域調整具１８の表面には、図５に示すように位置固定用の穴１９が複数個設けられている。【００１５】  図４の左の脚アーム３の一部に、Ｌ金具２０が溶着されていて、ピン２１が挿入できる穴２２が設けられている。当該穴２２にピン２１を挿入すると、可動域調整具１８の穴１９のいずれかの穴１９に挿入できる構造になっている。図５では、一番端の穴１９にピン２１を挿入した例を図示している。ピン２１を挿入すると、可動域調整具１８は脚アーム３に固定され、脚アーム３の開閉に連動して回転する。【００１６】  図４において、上側脚ア−ム軸受１５の一部に可動域調整具１８の回転を止める可動域ストパ−２３溶着されていて、脚アーム３の回転により可動域調整具１８の側面が可働域ストッパ−２３に当たると、それ以上脚アーム３を開くことができない。
図５の例では、可動域調整具１８の穴１９のうち右端にピン２１を挿入した状態で、可動域調整具１８の右側面が可働域ストッパ−２３に当たった状況を示す。図５の下部の図は、脚アーム３を閉じた状況を図示し一番開脚度の多い状況である。
また、閉脚の負荷になるばね９に繋がるワイヤ−８を、可動域調整具１８の一部から行える一例を図示した。
図示していないが、ワイヤ−８を、スライダ−７の一部に巻き付け、アイドラ−を介してつるべのように、スライダ−７が後方に下がったとき移動バネ受け２９を引く方法も可能である。【００１７】    図６は、一番開脚度の少ないピン２１の位置を図示していて、軽い負荷で且つ脚を乗せやすい位置である。
このように、錬度に合わせて負荷を選ぶことができる。【００１８】  図７は、ハンドル１０の上部に、支点２４を設け体形に合わせてハンドル１０を屈曲できるハンドル角度調整部品２５があり、必要な傾きに調整できる機能を例示した図面である。【００１９】    図７に於いて、ハンドル１０の上部の一部を分割して、上部ハンドル２６を設ける。当該上部ハンドル２６は、支点２４で回動するハンドル角度調整部品２５が溶着されている。一方分割されて下部のハンドル１０には、角度決め部品２７が溶着されている。【００２０】    角度決め部品２７には、軸穴２８が溶着されていて、軸穴２８の穴を介してピン２１がハンドル角度調整部品２５のいずれかの穴１９に挿入される。図２で図示するように、体形に合わせてハンドル１０の角度を調整することができる。【００２１】    図８は、体力・錬度に合わせて効果的なトレ−ニングをするため、脚及び腕の負荷を調整するためのばねの選択ができる構造を示した図である。【００２２】    図８において  支柱Ａ３２の一部にスライダ−７の固定部が装着されていて、当該スライダ−７の摺動部の上部には移動バネ受け２９が装着されている。【００２３】  移動ばね受け２９には２本のばね９がベ−スプレ−ト１７の間に装着されていて、移動ばね受け２９の一部にワイヤ−８が装着されプーリ−３０を介して、図３に示す稼働域調整具１８に係合している。ワイヤ−８を引くことにより、スライダ−７の摺動部は滑らかな上下動をする。当該バネ９は、脚アーム３による閉脚やハンドル１０を押すくときの負荷となる。【００２４】    固定ばね受け３１は、一端がベ−スプレ−ト１７に溶着された支柱Ｂ３５の上部に装着されていて、複数のばね９がベ−スプレ−ト１７の間に装着されていている。【００２５】    固定ばね受け３１には、使用しないばね９が懸架されていて、各ばね９はつまみ３３を引くことにより、溝３４より容易に取り出し、移動バネ受け２９の溝３４に装着することができる。【００２６】    以上により、体力・錬度に合わせて効果的なトレ−ニングをすることができる。
【符号の説明】
【００２７】  １  座面                          ２９  移動ばね受け
２  脚アーム軸                    ３０  プーリ−
３  脚アーム                      ３１  固定ばね受け
４  脚ア−ム座面                  ３２  支柱Ａ
５  ピニオン                      ３３  つまみ
６  ラック                        ３４  溝
７  スライダ−                    ３５  支柱Ｂ
８  ワイヤ−
９  ばね
１０  ハンドル
１１  ハンドル軸
１２  連結棒
１３  めくら板
１４  パイプ
１５  上側脚ア−ム軸受
１６  軸受
１７  ベ−スプレ−ト
１８  可動域調整具
１９  穴
２０  Ｌ金具
２１  ピン
２２  穴
２３  稼働域ストッパ−
２４  支点
２５  ハンドル角度調整部品
２６  上部ハンドル
２７  角度決め部品
２８  軸穴
【図１】
0003204345.tif 000003
【図２】
0003204345.tif 000004
【図３】
0003204345.tif 000005
【図４】
0003204345.tif 000006
【図５】
0003204345.tif 000007
【図６】
0003204345.tif 000008
【図７】
0003204345.tif 000009
【図８】
0003204345.tif 000010
【手続補正書】
【提出日】平成28年3月7日(2016.3.7)
【手続補正１】
【補正対象書類名】実用新案登録請求の範囲
【補正対象項目名】全文
【補正方法】変更
【補正の内容】
【実用新案登録請求の範囲】
【請求項１】
脚とハンドルが連動することを特徴とする健康運動器具であって、
（１）座面に座り、軸に軸着された脚の左右の脚アーム座面に脚を乗せ、両脚を閉じるとき、脚アーム軸の下部に装着されたピニオンが回動し、
（２）ピニオンと連動するラックがスライダーに固着されていて、スライダーは後方に摺動し、
（３）脚アーム軸の中間部に装着された稼働域調整具の一部にワイヤーを巻きつけ、当該ワイヤーを介して、ばねを引き、
（４）当該ばねが両脚を閉じるときの負荷となり、
（５）座面の前にハンドルを設け、
（６）ハンドルは、ハンドル軸を支点として前後に回動し、
（７）ハンドルの下端は、スライダーに咬合していて、ハンドルを前方に押すとスライダーは後方に摺動し、
（８）スライダーの動きは、スライダーに固着されているラックを介してピニオンを回し、両脚を閉じることに連動する、
以上の（１）〜（８）の構成を備えた健康運動器具。
【請求項２】
座面に座り、軸に軸着された脚の左右の脚アーム座面に脚を乗せ、両脚を閉じるとき、脚アーム軸の中間部に装着された可動域調整具により、脚の開き角度を調整できる機能を特徴とする請求項１に記載された健康運動器具。
【請求項３】
ハンドルの上部に、支点を設け体形に合わせてハンドルを屈曲できるハンドル角度調整部品があり、必要な傾きに調整できる機能を特徴とする請求項１に記載された健康運動器具。
【請求項４】
前記ばねは、ばね受けに用意された複数個のばねを容易に選択・設定できる構造を特徴とする請求項１に記載された健康運動器具。